(57)【要約】【課題】オペレータが画面表示の変更切換を意識することなく一貫して円滑に操作でき、表示画面における表示内容の一覧性も維持できる画面構成を有する測定装置を実現すること。【解決手段】スプレッドシート状に配列された画面を有する測定装置において、  スプレッドシート状の主画面と、この主画面の一部が主画面の配列方向に展開されるスプレッドシート状の副画面とで構成され、  前記主画面には、前記副画面の展開方向に沿って、前記主画面の一部の展開を指示する展開指示ボタン欄と、展開された副画面を含む主画面をスクロール表示するためのスクロールバーが設けられていることを特徴とするもの。【選択図】                    図１
2011174730.tif 000002
【特許請求の範囲】
【請求項１】
スプレッドシート状に配列された画面を有する測定装置において、
スプレッドシート状の主画面と、この主画面の一部が主画面の配列方向に展開されるスプレッドシート状の副画面とで構成され、
前記主画面には、前記副画面の展開方向に沿って、
前記主画面の一部の展開を指示する展開指示ボタン欄と、
展開された副画面を含む主画面をスクロール表示するためのスクロールバーが設けられていることを特徴とする測定装置。
【請求項２】
前記スプレッドシート状に配列された画面は、
複数の測定チャネルの設定に関連した主画面と、この主画面と共通の設定項目入力欄を有し主画面上で選択された測定チャネルについてその構成要素を主画面における測定チャネルの配列方向に展開する副画面とで構成されていることを特徴とする請求項１に記載の測定装置。
【請求項３】
前記スプレッドシート状の画面は、
デジタルオシロスコープにおけるトリガ条件の設定画面であることを特徴とする請求項１または請求項２に記載の測定装置。
【請求項４】
前記スプレッドシート状に配列された画面は、
複数の測定サイクルにおける測定結果に基づく代表値を示す主画面と、主画面上で選択された代表値を構成する複数の測定サイクルにおける測定結果を代表値の配列方向に展開する副画面とで構成されていることを特徴とする請求項１に記載の測定装置。
【請求項５】
前記スプレッドシート状に配列された画面は、
複数のフレームの解析結果を示す主画面と、主画面上で選択されたフレームの各フィールドの解析結果をフレームの解析結果の配列方向に展開する副画面とで構成されていることを特徴とする請求項１に記載の測定装置。
【請求項６】
前記主画面と副画面は異なる色で表示されることを特徴とする請求項１から請求項５のいずれかに記載の測定装置。
【発明の詳細な説明】
【技術分野】
【０００１】
本発明は、測定装置に関し、詳しくは、測定装置における各種設定項目の設定操作改善に関するものである。
【０００２】
波形測定装置の一種であるデジタルオシロスコープは、一般に入力信号として複数チャネルの測定信号を取り込むことができ、入力チャネルの設定項目もチャネル数分個別に設定可能である。
【０００３】
ユーザーは、デジタルオシロスコープの使用にあたり、入力チャネルごとの各種測定条件を設定した後に、波形データを取り込むための操作や表示・データ保存などの操作を行う。
【０００４】
ところで、ある種のデジタルオシロスコープでは、複数チャネルのロジック入力のレベルやエッジの組み合わせをトリガ条件として設定し、その組み合わせが成立した時点で波形データを取り込むように構成されたものがある。
【０００５】
図６および図７はこのような従来のデジタルオシロスコープにおけるスプレッドシート状に形成されたトリガ条件設定画面の一例を示す画面例図であり、常に表示されている主画面１０と、選択的に呼び出されて主画面１０上にポップアップ表示される副画面２０とで構成されている。図６は主画面１０上に副画面２０をポップアップ表示させた通常の使用状態を示し、図７は主画面１０のレイアウトを説明するために副画面２０を主画面１０と重ならない位置に移動させたものである。
【０００６】
主画面１０では、１２個の測定チャネルＣＨ１〜ＣＨ１２におけるそれぞれのレベル「Ｈ（Ｈレベル）」、「Ｌ（Ｌレベル）」、「Ｘ（レベル無視）」の組み合わせよりなる「Ａステート」と各測定チャネルＣＨ１〜ＣＨ１２における立ち上がりまたは立ち下がりの「エッジ」との論理和をトリガ条件として設定する例を示している。
【０００７】
主画面１０において、各測定チャネルＣＨ１〜ＣＨ１２の「Ｌａｂｅｌ」欄１１には任意のチャネル名称を設定することができ、「Ａ  Ｓｔａｔｅ」欄１２には所定のレベルマークを設定でき、「Ｅｄｇｅ」欄１３には所定のエッジパターンマークを設定でき、「Ｌｅｖｅｌ」欄１４には任意の電圧値レベルを設定でき、「Ｈｙｓ」欄１５には所定のヒステリシスパターンを設定できる。
【０００８】
そして、「Ｍｏｒｅ」欄１６は、各測定チャネルＣＨ１〜ＣＨ１２について、各ビットごとに「Ａステート」と「エッジ」を設定するための詳細条件設定画面である副画面２０を選択的に呼び出すボタンとして機能する。図６では、測定チャネルＣＨ７の副画面２０を呼び出す例を示している。
【０００９】
副画面２０では、測定チャネルＣＨ７における８個のビットそれぞれのレベル「Ｈ（Ｈレベル）」、「Ｌ（Ｌレベル）」、「Ｘ（レベル無視）」の組み合わせよりなる「Ａステート」と各ビットにおける立ち上がりまたは立ち下がりの「エッジ」との論理和をトリガ条件として設定する例を示している。
【００１０】
副画面２０において、各ビットの「Ｂｉｔ  Ｌａｂｅｌ」欄２１には任意のビット名称を設定することができ、「Ａ  Ｓｔａｔｅ」欄２２には所定のレベルマークを設定でき、「Ｅｄｇｅ」欄２３には所定のエッジパターンマークを設定できる。
【００１１】
特許文献１の図１には、表示画面１１の下部領域１３に、画面操作に関連した複数の選択対象項目を、必要なときに選択的に一覧表示する選択項目表示領域１４が記載されている。
【先行技術文献】
【特許文献】
【００１２】
【特許文献１】特開２００１−２１３８７号公報
【発明の概要】
【発明が解決しようとする課題】
【００１３】
しかし、図６および図７の画面構成によれば、副画面２０の条件設定時には、オペレータが主画面１０から詳細条件を設定しようとする所望の測定チャネルのボタンを選択指定して副画面２０を主画面１０上に呼び出して、主画面１０と副画面２０相互間の関連性を呼び出されたポップアップ画面に基づいて再構築しなければならず、主画面１０から副画面２０へ遷移する場合の一貫した円滑な操作性が阻害されることになる。
【００１４】
また、主画面１０上に副画面２０が呼び出されると、主画面１０は副画面２０の背後に隠れてしまい、主画面１０の一覧性が損なわれてしまう。
【００１５】
さらに、主画面１０と副画面２０の設定項目はいずれも「Ａ  Ｓｔａｔｅ」と「Ｅｄｇｅ」で両者は共通しているにもかかわらず、主画面１０から副画面２０に切り替わることから、オペレータは主画面１０と副画面２０のそれぞれの「Ａ  Ｓｔａｔｅ」欄と「Ｅｄｇｅ」欄に入力しなければならず、不自然な操作を強いられることになる。
【００１６】
本発明は、これらの問題点を解決するものであり、その目的は、オペレータが画面表示の変更切換を意識することなく一貫して円滑に操作でき、表示画面における表示内容の一覧性も維持できる画面構成を有する測定装置を実現することにある。
【課題を解決するための手段】
【００１７】
上記目的を達成するために、本発明のうち請求項１に記載の発明は、
スプレッドシート状に配列された画面を有する測定装置において、
スプレッドシート状の主画面と、この主画面の一部が主画面の配列方向に展開されるスプレッドシート状の副画面とで構成され、
前記主画面には、前記副画面の展開方向に沿って、
前記主画面の一部の展開を指示する展開指示ボタン欄と、
展開された副画面を含む主画面をスクロール表示するためのスクロールバーが設けられていることを特徴とする。
【００１８】
請求項２記載の発明は、請求項１に記載の測定装置において、
前記スプレッドシート状に配列された画面は、複数の測定チャネルの設定に関連した主画面と、この主画面と共通の設定項目入力欄を有し主画面上で選択された測定チャネルについてその構成要素を主画面における測定チャネルの配列方向に展開する副画面とで構成されていることを特徴とする。
【００１９】
請求項３記載の発明は、請求項１または請求項２に記載の測定装置において、
前記スプレッドシート状の画面は、デジタルオシロスコープにおけるトリガ条件の設定画面であることを特徴とする。
【００２０】
請求項４記載の発明は、請求項１に記載の測定装置において、
前記スプレッドシート状に配列された画面は、複数の測定サイクルにおける測定結果に基づく代表値を示す主画面と、主画面上で選択された代表値を構成する複数の測定サイクルにおける測定結果を代表値の配列方向に展開する副画面とで構成されていることを特徴とする。
【００２１】
請求項５記載の発明は、請求項１に記載の測定装置において、
前記スプレッドシート状に配列された画面は、複数のフレームの解析結果を示す主画面と、主画面上で選択されたフレームの各フィールドの解析結果をフレームの解析結果の配列方向に展開する副画面とで構成されていることを特徴とする。
【００２２】
請求項６記載の発明は、請求項１から請求項５のいずれかに記載の測定装置において、  前記主画面と副画面は異なる色で表示されることを特徴とする。
【発明の効果】
【００２３】
本発明によれば、オペレータは画面表示の変更切換を意識することなく一貫して円滑に操作でき、表示画面における表示内容の一覧性も維持できる。
【図面の簡単な説明】
【００２４】
【図１】本発明の一実施例を示す測定装置の具体的な表示画面例図である。
【図２】本発明の一実施例を示す測定装置の具体的な他の表示画面例図である。
【図３】本発明に基づく動作の流れを説明するフローチャートである。
【図４】本発明の他の実施例を示す測定装置の具体的な他の表示画面例図である。
【図５】本発明の他の実施例を示す測定装置の具体的な他の表示画面例図である。
【図６】従来のデジタルオシロスコープにおけるスプレッドシート状に形成されたトリガ条件設定画面の一例を示す画面例図である。
【図７】従来のデジタルオシロスコープにおけるスプレッドシート状に形成されたトリガ条件設定画面の他の例を示す画面例図である。
【発明を実施するための最良の形態】
【００２５】
以下、図面を参照して、本発明を詳細に説明する。図１および図２は本発明の一実施例を示す測定装置の具体的な表示画面例図であり、図６および図７と共通する部分には同一の符号を付けている。図１は主画面のみ表示されている例を示し、図２は副画面が展開表示されている例を示している。
【００２６】
図１と図６および図７との相違点は、図１の主画面１０には各測定チャネルごとに選択的に副画面を表示させて構成要素への展開を指示する展開指示ボタン欄１７が付加されていて、「Ｍｏｒｅ」欄１６が削除されていることである。
【００２７】
図２と図６および図７との相違点は、副画面の展開表示に伴って、主画面１０にはスクロールバー１８が追加表示されていることである。
【００２８】
図１の展開指示ボタン欄１７には、測定チャネルＣＨ７、ＣＨ８、ＣＨ１３およびＣＨ１４に副画面への展開が可能であることを示す「＋」ボタンが表示されている。
【００２９】
図１において、展開指示ボタン欄１７の測定チャネルＣＨ７の「＋」ボタンがクリックされると、図２に示すように測定チャネルＣＨ７のボタン表示は「＋」から「−」に切り替わり、測定チャネルＣＨ７とＣＨ８の間に、測定チャネルＣＨ７を構成するＣＨ７−１〜ＣＨ７−８よりなる８ビットのそれぞれが構成要素として展開されて副画面２０として表示されるとともに、スクロールバー１８が追加表示される。
【００３０】
ここで、測定チャネルＣＨ７を構成するＣＨ７−１〜ＣＨ７−８よりなる８ビットの副画面２０の部分は、設定項目入力欄を主画面と共通にして、主画面における測定チャネルＣＨ１からＣＨ１６への配列方向に展開されるので、主画面１０と副画面２０相互間の関連性は維持されることになり、副画面２０が展開されても一貫した円滑な操作性が阻害されることはなく、主画面１０の一覧性が損なわれることもない。
【００３１】
オペレータは、主画面１０と副画面２０のそれぞれの設定項目欄に、無理なく自然な操作で順次入力することができる。
【００３２】
展開表示されている副画面２０を閉じる場合には、展開指示ボタン欄１７の測定チャネルＣＨ７の「−」ボタンをクリックする。これにより、測定チャネルＣＨ７のボタン表示は再び図１に示すように「−」から「＋」に切り替わり、測定チャネルＣＨ７とＣＨ８の間に副画面２０として展開表示されていた測定チャネルＣＨ７を構成するＣＨ７−１〜ＣＨ７−８よりなる８ビットのそれぞれは折り畳まれるとともに、スクロールバー１８の表示も消去される。
【００３３】
たとえば、アナログ―ロジック混在の波形取り込み設定を行う場合、画面切り替えをせずにまとめて表示できるので、オペレータはアナログ―ロジック間の設定情報を行き来することなくシームレスに設定できる。これはアナログ―ロジック混在の波形解析が必要となる場合において、アナログ・ロジック設定へのパスをオペレータに意識させないため自然なユーザーインタフェースになり、操作性の向上が期待できる。
【００３４】
図３は本発明に基づく動作の流れを説明するフローチャートであり、副画面２０を展開表示する処理の流れを示している。図３において、図１の主画面１０における展開指示ボタン欄１７の「＋」ボタンをクリックすると（ステップＳ１）、一連の処理を実行するためのイベントが発生する（ステップＳ２）。
【００３５】
スプレッドシート状の主画面１０の１行目について（ステップＳ３）、行番号をＣＨ番号に変換する処理を行う（ステップＳ４）。そして、１行目が副画面２０を展開する元の行であるか否かを判断する（ステップＳ５）。
【００３６】
展開元の行である場合は、まず１列目について（ステップＳ６）、副画面２０のサマリデータまたは空を設定する（ステップＳ７）。以下、同様に最終列まで順次非表示か条件のいずれかを設定する（ステップＳ８）。
【００３７】
展開元の行でない場合は、まず１列目について（ステップＳ９）、条件を設定する（ステップＳ１０）。以下、同様に最終列まで順次条件を設定する（ステップＳ１１）。
【００３８】
以上の処理を最終行まで実行すると（ステップＳ１２）、図１の展開指示ボタン欄１７のボタン表示が「＋」から「−」に切り替わる（ステップＳ１３）。そして、副画面２０が展開された画面を再描画する（ステップＳ１４）。
【００３９】
スプレッドシート状の主画面１０の上で複数列よりなる測定チャネルの構成要素に設定画面などの副画面を新たに表示する場合、画面切り替えをしなくてよいため、オペレータは操作の連続性が失われない。また、別画面とならないため、シートのカラム情報が視覚的に維持されることにより各セルの設定内容を改めて確認する必要がない。表示の場合も同様である。
【００４０】
上記実施例では、測定チャネルについてその構成要素を主画面における測定チャネルの配列方向に副画面として展開する例について説明したが、図４に示すように測定ヒストリごとに、複数の測定サイクルにおける測定結果に基づく代表値をスプレッドシートに表示するようにしてもよい。各測定ヒストリの代表値は展開可能で、展開後は各測定サイクルごとの測定値を表示する。
【００４１】
また、これとは逆に、各測定サイクルごとの測定値をスプレッドシートの主画面として表示し、副画面として各測定ヒストリの代表値を表示するようにしてもよい。
【００４２】
図５も本発明に基づく装置の他の具体例の表示画面例図であり、シリアルバスの解析結果を表示する例を示している。主画面１０のフレームデータを展開すると、副画面２０Ａおよび２０Ｂとしてフレームに関する各フィールドの解析結果が展開表示される。
【００４３】
以上説明したように、本発明によれば、オペレータは画面表示の変更切換を意識することなく一貫して円滑に操作でき、表示画面における表示内容の一覧性も維持できる測定装置が実現できる。
【符号の説明】
【００４４】
１０  主画面
１７  展開指示ボタン欄
１８  スクロールバー
２０  副画面
【図１】
2011174730.tif 000003
【図２】
2011174730.tif 000004
【図３】
2011174730.tif 000005
【図４】
2011174730.tif 000006
【図５】
2011174730.tif 000007
【図６】
2011174730.tif 000008
【図７】
2011174730.tif 000009